(57)【特許請求の範囲】
【請求項１】
情報記録媒体に、データの記録及び／または再生を行うカードリーダであって、カードリーダを制御する基板を有しており、前記基板は、ＣＰＵ・メモリ回路ブロックのみを搭載するＣＰＵ・メモリ基板及び印字部、消去部、駆動モータを駆動するパワーデバイス回路ブロックを搭載するドライバー基板からなり、ＣＰＵ・メモリ基板の面積は、前記ドライバー基板の面積よりも小さく、かつ形状が異なり、前記ＣＰＵ・メモリ基板と、前記ドライバー基板は前記カードリーダの同一平面上に隙間を有して配置され、前記ＣＰＵ・メモリ基板と、前記ドライバー基板は、前記隙間に、リード線及び／またはフラットケーブルを介して接続されてなる事を特徴とするカードリーダ。
【請求項２】
前記ＣＰＵ・メモリ基板は、カードリーダ上部側に設けられたことを特徴とする請求項１記載のカードリーダ。
【請求項３】
カードの搬送路と、カードを前記搬送路内で移動させる搬送手段と、前記搬送路内に存在するカードにデータを記録する動作か、カードからデータを再生する動作の少なくとも一方の動作を行うデータ記録再生手段と、カードに視覚的に画像を形成する画像形成手段とを備えた事を特徴とする請求項１〜２いずれか１記載のカードリーダ。
【発明の詳細な説明】
【０００１】
【発明の属する技術分野】
本発明は、カード等の情報記録媒体に、データの記録か再生の少なくとも一方を行うカードリーダに関するものである。
【０００２】
【従来の技術】
図１４は従来のカードリーダを示す側断面図であり、以下図１４を用いて説明する。
【０００３】
カード１には、熱可逆性材料等を設けたリライトカードが用いられる。リライトカードは、例えば所定の温度以上に加熱することで、可視的な像などを形成し、所定の温度範囲内にカードの温度を所定時間加熱することで、その形成された像などを不可視にする構成を有するものである。
【０００４】
挿入口２から挿入されたカード１は、ガイダー６で構成された搬送路７内を駆動ローラ３，４，５とその各駆動ローラに対向する押圧ローラ８，１０，１２により搬送される。
【０００５】
５６はカードに磁気的な情報を記録か又は再生するデータ記録再生部、５８は磁気ヘッド５６に対向する磁気ヘッド押圧ローラである。カード１に印字する印字部３７はサーマルヘッドホルダ６０に取り付けられ軸９６により回動する。
【０００６】
更にカード１に印字された情報を消去する消去部４９は消去ヘッドホルダ７９に取り付けられ、消去ヘッドホルダ７９は軸９７によりサーマルヘッドホルダ６０に連結されサーマルヘッド３７と連動する。
【０００７】
サーマルヘッド３７と消去ヘッド４９は、昇降モータ９８によりカム９９を介して搬送路７から突出、待避する様に構成されている。
【０００８】
カード１に印字・消去する場合、サーマルヘッド３７、消去ヘッド４９は、各ホルダーに掛けられたバネにより、サーマルヘッド３７と対向する位置に設けられたプラテン３１、消去ヘッド４９に対向する位置に設けられたローラ４３にカード１を介して押圧付勢され、搬送路７内に突出し所定の情報をカード１上に、印字・消去する。
【０００９】
印字消去が終了した場合、昇降モータ９８によりカム９９を介してサーマルヘッド３７と消去ヘッド４９は搬送路７から待避する。
【００１０】
カード１に印字などを行う場合には、カード１に曲がり等が生じている場合には、うまくカード１上に所定の文字などを印字する事ができない場合があったので、サーマルヘッド３７の直前などに、カード１の曲がりを矯正するローラ等を設けることがなされている。
【００１１】
また、このようなカードリーダは、ＣＰＵ、ＲＯＭ・ＲＡＭ等のメモリ等からなるＣＰＵ・メモリ回路や、磁気ヘッド、サーマルヘッド、消去ヘッドの駆動、昇降モータ、駆動モータ等の駆動、２４Ｖ電流の開閉を行うリレー等のパワーデバイスからなるパワーデバイス回路により制御されている。
【００１２】
これらのＣＰＵ・メモリ回路やパワーデバイス回路は、基板に搭載されている。図１４において、Ｍはメイン基板、Ｄはドライバー基板を示している。
【００１３】
図１５は、各基板Ｍ、Ｄにおける回路構成ブロック図である。
【００１４】
図１５に示すように、基板Ｍは、ＣＰＵ・メモリー回路ブロック及びサーマルヘッド、消去ヘッド、２４Ｖ電流の開閉を行うリレー等の各パワーデバイスを動かすパワーデバイス回路ブロックを搭載したメイン基板であり、基板Ｄは、ブザー、昇降モータ、駆動モータ、磁気ヘッドのドライバー等のパワーデバイス回路ブロックを搭載したドライバー基板である。
【００１５】
メイン基板Ｍには、カードリーダを制御するために必要な、ＣＰＵ・メモリー回路ブロック及びパワーデバイス回路ブロックが搭載されている。
【００１６】
ドライバー基板Ｄは、メイン基板Ｍのスペースに収まりきれなかった回路ブロック等を搭載したり、回路ブロックをそれが駆動する装置に近い側に配置する等の理由によって、メイン基板に追加して設けられる。
【００１７】
また、メイン基板Ｍとドライバー基板Ｄはリード線、ＦＦＣ（フラットケーブル）等によって接続される。
【００１８】
このようなカードリーダは、例えば、種々の商品販売チェーン店の各店舗や商店街等で、ポイントサービス、プリペイドサービス等のシステムが運用され、そのシステムの中で使用されるカードへの記録、再生装置として、各店舗毎に設置され使用されている。
【００１９】
【発明が解決しようとする課題】
しかしながら、ポイントサービス、プリペイドサービス等のシステムは、それを運用しているユーザー毎にその内容は異なり、仕様も様々である。このような各ユーザー毎の仕様に対応するため、カードリーダもその仕様変更を余儀なくされていることが多々ある。特に、カードリーダ市場では、ユーザ独自の要望仕様が多く、仕様変更も繰り返し行われている。そこで、各ユーザ毎の異なる仕様に対応するために、各ユーザ毎にカードリーダを制御する基板を変更しなければならなかった。
【００２０】
即ち、従来のカードリーダの基板では、ＣＰＵ・メモリ回路ブロックとパワーデバイス回路ブロックを同じ基板に搭載しているために、例えば、磁気ヘッドを１トラックから３トラックに変更したい、ブザーを付けたい、電磁シャッターを追加したい、メモリ要領を増やしたい等の要望がユーザから出される度に、基板の変更が生じていた。極端な場合は、あるユーザとメモリ容量等は同じであるが、パワーデバイスのただ一つの機能が異なっている仕様のカードリーダを別ユーザから要望された場合であっても、基板を流用することができず、基板の変更あるいは、基板の新規作成が必要であった。
【００２１】
そして、基板変更によりコストが増大し、基板の種類も増加し、その後の基板管理の作業も煩雑で、生産性を阻害するものとなっていた。
【００２２】
また、ＣＰＵ・メモリ回路ブロックとパワーデバイス回路ブロックを同じ基板上に搭載していると、ＣＰＵ・メモリ回路ブロックでは、その性質上、微小信号が高速で伝達される回路ブロックであり、これに対してパワーデバイス回路ブロックでは、大電流が流される回路ブロックであるので、ノイズの対策が非常に困難であると言う問題があった。
【００２３】
本発明は、上記従来の課題を解決するもので、ユーザ毎の異なる仕様に迅速に対応可能であり、基板変更による著しいコスト増大もなく、基板管理も煩雑でなく、生産性が向上し、ノイズ対策も容易であるカードリーダを提供することを目的とする。
【００２４】
【課題を解決するための手段】
本発明は、カードリーダを制御する基板を互いに異なる機能を有する基板から構成した。
【００２５】
【発明の実施の形態】
請求項１に係る発明では、情報記録媒体に、データの記録及び／または再生を行うカードリーダであって、カードリーダを制御する基板を有しており、基板は、ＣＰＵ・メモリ回路ブロックのみを搭載するＣＰＵ・メモリ基板及び印字部、消去部、駆動モータを駆動するパワーデバイス回路ブロックを搭載するドライバー基板からなり、ＣＰＵ・メモリ基板の面積は、前記ドライバー基板の面積よりも小さく、かつ形状が異なり、前記ＣＰＵ・メモリ基板と、前記ドライバー基板は前記カードリーダの同一平面上に配置されているので、ユーザ毎の異なる仕様に迅速に対応可能であり、基板変更による著しいコスト増大もなく、基板管理も煩雑でなく、生産性が向上する。
【００２６】
また、前記基板は、ＣＰＵ・メモリ基板及びドライバー基板からなることによって、ノイズ対策が容易である。
【００２７】
また、ＣＰＵ・メモリ基板の面積は、ドライバー基板の面積よりも小なる事としたので、比較的小型のデバイスが多いＣＰＵ・メモリ基板と種々のドライバーを搭載するドライバー基板のカードリーダにおける領域配分の最適化を図ることが可能である。また、機能の異なる両基板の区別が明確であり、基板管理が容易となり、目的とする基板の取り付け・取り外し作業も容易となる。
【００２８】
また、ＣＰＵ・メモリ基板の形状と、ドライバー基板の形状が異なる事としたので、機能の異なる両基板の区別が明確であり、基板管理が容易となり、目的とする基板の取り付け・取り外し作業も容易となる。
【００２９】
また、ＣＰＵ・メモリ基板と、ドライバー基板は同一平面上に配置されているので、カードリーダをコンパクトにすることが可能となる。
【００３０】
また、ＣＰＵ・メモリ基板と、ドライバー基板は、隙間を有して配置されているので、不要な基板材料を節約できるとともに、目的とする基板の取り付け・取り外し作業も容易となる。
【００３１】
また、２つの基板と同一面積を有する１枚基板に比べた場合、不慮の圧力がかかった場合にも、この隙間に逃がす事が可能となり、基板自体の損傷を防止することができる。
また、リード線、フラットケーブルが目視可能となり断線等の確認が目視でも行えるとともに、カードリーダに基板を取り付けた後でもその接続が可能となり、基板の取り外しの際も、基板より先に別途取り外すことができ、取り扱いが容易となる。
【００３６】
請求項２に係る発明では、請求項２において、ＣＰＵ・メモリ基板は、カードリーダ上部側に設けているので、カードリーダ本体の自重からＣＰＵやメモリを保護することができる。また、取り付け、取り外し作業時に、上部側にあることで、取り扱いが容易となり、作業時におけるＣＰＵやメモリの破壊を防止することができる。
【００３７】
請求項３に係る発明では、請求項１〜２において、カードの搬送路と、カードを前記搬送路内で移動させる搬送手段と、前記搬送路内に存在するカードにデータを記録する動作か、カードからデータを再生する動作の少なくとも一方の動作を行うデータ記録再生手段と、カードに視覚的に画像を形成する画像形成手段とを備えているので、カードを移動させ、データの記録、再生やカードに視覚的に画像を形成することができる。
【００３８】
以下、本発明におけるの実施の形態について説明する。
【００３９】
図１６は本発明の一実施の形態におけるカードリーダを示す上部平面概略図であり、図１７は同側面図である。
【００４０】
図１６，１７において、基板ＣはＣＰＵ・メモリ回路ブロックを搭載したＣＰＵ・メモリ基板である。
【００４１】
基板Ｄ１は、サーマルヘッド等の印字部、消去部、ブザー、印字ユニット・消去ユニット昇降駆動モータ、カードを搬送するための駆動モータ等の各パワーデバイスを駆動するパワーデバイス回路ブロックを搭載したサーマルヘッドドライバー基板である。
【００４２】
基板Ｄ２は、基板Ｄ１と同様に、磁気記録再生を行う磁気ヘッドのドライバー、２４Ｖ電流の開閉を行うリレー等のパワーデバイス回路ブロックを載せた磁気ヘッドドライバー基板である。
【００４３】
ドライバー基板Ｄ２は、全てのパワーデバイス回路ブロックがドライバー基板Ｄ１には収まりきれない場合や、駆動する目的の装置との配置関係により、ドライバー基板Ｄ１に加えて適宜設けられる。また、ドライバー基板Ｄ２は、その全てのパワーデバイス回路ブロックがドライバー基板Ｄ１に搭載できる場合やその配置を考慮しない等の場合には、設けなくてもよい。
【００４４】
各基板は、それぞれリード線ｌとＦＦＣ（フラットケーブル）ｆによって接続されている。
【００４５】
このように、ＣＰＵ・メモリ基板Ｃにおいては、ＣＰＵ・メモリ回路ブロックが搭載されており、サーマルヘッドドライバー基板Ｄ１、磁気ヘッドドライバー基板Ｄ２のドライバー基板においては、パワーデバイス回路ブロックが搭載され、ＣＰＵ・メモリ回路ブロックとパワーデバイス回路ブロックとが同一の基板上に配置されることはない。
【００４６】
図１６，１７に示すように、ＣＰＵ・メモリ基板Ｃは、ドライバー基板Ｄ１，Ｄ２よりもその面積は小さい方が好ましい。これにより、ＣＰＵ・メモリ回路ブロックが搭載されたＣＰＵ・メモリ基板とパワーデバイス回路ブロックを載せたドライバー基板を区別することができ、基板管理が容易となる。
【００４７】
また、その形状もＣＰＵ・メモリ基板Ｃと、ドライバー基板Ｄ１，Ｄ２とでは異なった形状であることが好ましい。これによっても、ＣＰＵ・メモリ回路ブロックが搭載されたＣＰＵ・メモリ基板とパワーデバイス回路ブロックを載せたドライバー基板を区別することができ、基板管理が容易となる。図１６では、ＣＰＵ・メモリ基板Ｃは凸状であり、ドライバー基板Ｄ１，Ｄ２は略四角形状としている。
【００４８】
また、ＣＰＵ・メモリ基板Ｃとドライバー基板Ｄ１は、同一平面上に配置されており、両基板は、互いにフラットな状態でカードリーダに取り付けられている。ＣＰＵ・メモリ基板Ｃは、ＣＰＵ・メモリ回路ブロックが搭載されているので、図１６、１７に示すように、カードリーダの上部側（図１７中、左側がカードリーダ上部に相当）に配置されることが好ましい。
【００４９】
さらに、ＣＰＵ・メモリ基板Ｃとドライバー基板Ｄ１は、隙間を開けて配置され、それぞれリード線ｌとＦＦＣ（フラットケーブル）ｆによって接続されている。
【００５０】
各基板Ｃ，Ｄ１においては、この隙間分の基板材料が不要となる。各基板Ｃ，Ｄ１に必要な面積分の基板を使用すればよい。また、この隙間を有することで、取り付け、取り外し等の作業も容易となり、両基板が接していないので、互いの干渉がなくなり、基板を個別に取り外す作業も容易となる。
【００５１】
リード線ｌの両端部は、それぞれＣＰＵ・メモリ基板Ｃの表面と、ドライバー基板Ｄ１の表面に配置されている。
【００５２】
なお、リード線の両端部を各基板の裏面に配置、接続してもよい。さらには、リード線ｌの一方の端部を、ＣＰＵ・メモリ基板Ｃの表面（或いは裏面）に配置し、他方の端部を、ドライバー基板Ｄ１の裏面（或いは表面）に接続してもよい。
【００５３】
フラットケーブルｆの一方の端部は、ＣＰＵ・メモリ基板Ｃの表面に配置され、他方の端部は、ドライバー基板Ｄ１の裏面（図示せず）で接続されている。
【００５４】
また、一方の端部を、ＣＰＵ・メモリ基板Ｃの裏面に配置し、他方の端部を、ドライバー基板Ｄ１の表面で接続してもよいし、さらに、フラットケーブルｆの両端部を、それぞれＣＰＵ・メモリ基板Ｃの表面（或いは裏面）と、ドライバー基板Ｄ１の表面（或いは裏面）に配置してもよい。
【００５５】
（以上述べた、基板の表面とは、カードリーダ上部平面図１６において、観察可能な面を示す。）
リード線ｌやＦＦＣ（フラットケーブル）ｆの各基板に対する接続面の選択は、組み付け手順等を考慮して適宜なされることが好ましい。
【００５６】
ここで、図１８は、本発明の一実施の形態におけるカードリーダ基板の回路構成ブロック図である。
【００５７】
図１８に示すように、ＣＰＵ・メモリ基板Ｃでは、ＣＰＵ、ＲＯＭ、ＲＡＭ等の回路ブロックから構成されており、サーマルヘッドドライバー基板Ｄ１は、搬送駆動モータ、昇降駆動モータ、サーマルヘッド印字部、消去部等のパワーデバイス回路ブロックから構成されている。また、磁気ヘッドドライバー基板Ｄ２では、磁気記録再生を行う磁気ヘッドドライバー、２４Ｖ電流の開閉を行うリレースイッチ等のパワーデバイス回路ブロックから構成されてなる。
【００５８】
次に、様々な要望に基づく種々の仕様に対応するための、本発明の一実施の形態におけるカードリーダの有効な使用例について説明する。ここでは、１〜５の仕様と、それぞれの仕様に対する１〜５の対応を例示するものである。
【００５９】
仕様１：図１８に示すカードリーダの機能に対して、ＲＳ２３２Ｃ通信の機能が不要で、ＲＳ４８５通信の機能が必要である場合。
【００６０】
仕様２：図１８に示すカードリーダの機能に対して、印字の機能は不要であり、７セグＬＥＤ等の表示機能及びＲＳ４８５通信機能が必要。
【００６１】
仕様３：図１８に示すカードリーダの機能に加えて、電源を切っても機器のＩＤが消えないようにデータを保存しておくＥＥＰＲＯＭと７セグＬＥＤ等の表示機能が必要とされる場合。
【００６２】
仕様４：図１８に示すカードリーダの機能に対して、磁気記録再生機能は要らないが、ＲＳ２３２Ｃ通信ポートが２つ欲しい。
【００６３】
仕様５：図１８に示すカードリーダの機能に対して、スタンドアロンとして使いたいので、ＲＳ２３２Ｃ通信機能は不要。液晶ディスプレイとキーボードが欲しい。
【００６４】
以上のような仕様１〜５に対して、本発明の一実施の形態におけるカードリーダでは、次のような対応が可能である。
【００６５】
対応１：ＲＳ２３２Ｃ通信機能を外し、ＲＳ４８５通信デバイスを搭載した新たなドライバー基板Ｄ２のみを新規作成する。
【００６６】
対応２：７セグＬＥＤ等の表示機能を入れた基板Ｄ１のみを作成し、対応１における基板Ｄ２を流用する。
【００６７】
対応３：データを保存しておくＥＥＰＲＯＭを入れた基板Ｃのみを作成し、対応２で作成した７セグＬＥＤ等の表示機能を入れた基板Ｄ１を流用すればよい。
【００６８】
対応４：ＲＳ２３２Ｃ通信ポートを２つ搭載した基板Ｄ２のみを新規作成すればよい。
【００６９】
対応５：液晶ディスプレイとキーボード制御機能を入れた基板Ｃのみを新規作成すればよい。
【００７０】
以上のように、様々なユーザの要望に対して、それに答えるべく、仕様の変更がなされた場合でも、フレキシブルに対応が可能である。
【００７１】
また、基板構成を大電流を流すパワーデバイス回路ブロックと、微小信号を高速で伝達するＣＰＵ・メモリ回路ブロックとを別々の基板にすることで、上記に挙げた仕様とは異なる場合でも、一度作成した基板の組み合わせを変えることで、基板を新規に作成することなしに、仕様の展開を図っていくことができる。
【００７２】
また、ノイズ発生の確率の高い基板のみを４層、６層等の基板にしたり、フェライトコア等のノイズ対策部品を集中して用いることにより、ノイズを出さないように対策すればよいので、ノイズ対策が不要な他の基板は、片面若しくは両面基板にして、コストを押さえることができる。全ての基板にノイズ対策を施す場合に比べそのコストメリットは大なるものとなる。
【００７３】
また、ＣＰＵ・メモリ基板とパワーデバイス搭載のドライバー基板とを分けているので、別の機種にＣＰＵ・メモリ基板のみ流用、或いはドライバー基板のみを流用するというように、流用が容易になる。このことから、多くの機種に流用が可能となり、基板１枚あたりの単価も下がり、コストメリットを出す事ができる。
【００７４】
さらに、ＣＰＵ・メモリ基板とパワーデバイス搭載のドライバー基板とを分けているので、個別に取り付け、取り外しが可能であり、調整作業等で組み付けや取り扱いが容易となる。
【００７５】
図１は本発明の一実施の形態におけるカードリーダを示す側断面図である。
【００７６】
図１において、１はカードで、カード１にはデータの記録かもしくは再生の少なくとも一方を行うことが可能なメモリ部と、熱可逆性材料等を用いてキャラクタ等を印字・消去可能とした表示部が用いられている。メモリ部としては、磁気ストライブ、光学ストライプ、ＩＣ等が用いられる。表示部としては、リライト層を用いたり、ライトワンスの追記式のものなどが用いられる。
【００７７】
なお、本明細書で記載しているカードとは、単なるカード状体のみならず、帯状体やシート状体のものも好適に用いられることは言うまでもない。
【００７８】
２はカード１を挿入する挿入口、７はカード１を搬送する搬送路で、搬送路７は例えば少なくとも一つのガイダー等で構成されている。
【００７９】
３は回転軸１４に取り付けられた駆動ローラで、駆動ローラ３には従動ローラ８が対向している。従動ローラ８はコイルバネなどの弾性部材９によって搬送路７の方に付勢されている。この駆動ローラ３は回転軸１４を介して後述する駆動手段によって駆動力が伝達される。この駆動ローラ３と従動ローラ８でカード１を挟み込みカード１を搬送路７内で移動させる。
【００８０】
２００は搬送路７に出没自在に設けられた印字ユニットで、印字ユニット２００には印字部３７と矯正ローラ３６，３８が設けられている。印字部３７，矯正ローラ３６，３８にはそれぞれ駆動するローラ３１，２８，３４が対向している。印字ユニット２００は後述の駆動手段によって駆動され、カード１上に所定のキャラクタなどを印字する際には印字ユニット２００は搬送路７に突出し、カード１を矯正ローラ３６，３８とそれらローラに対向するローラ２８，３４で挟み込んで、カード１の曲がり等を矯正（反り等が発生している場合には反りを矯正する）し、印字部３７でカード１上に印字するので、良好な印字品質を得ることができる。
【００８１】
また、カード１上に所定のキャラクタを印字しない場合には、印字ユニット２００は搬送路７から後退し、カード１は矯正ローラ３６，３８とローラ２８，３４で挟み込まれず、しかも印字部３７とローラ３１にも挟み込まれないので、スムーズにカード１の搬送が行われる事になる。印字部３７としては、サーマルヘッドやインクジェットヘッド等が好適に用いられ、カード１の表示部としてリライト層を用いた場合にはサーマルヘッドを用い、カード１の表示部として追記式のものを用いる場合には、サーマルヘッドやインクジェットヘッドのいずれか一方が用いられる。また、カードの曲がりや反りを矯正する手段として、矯正ローラ３６，３８とローラ２８，３４を用いたが、例えば、搬送路７に出没する平板でカード１の曲がり等を矯正したりすることもできる。
【００８２】
７５は印字部３７を搬送路７の方に付勢する弾性部で、弾性部７５は例えばコイルバネなどが好適に用いられる。弾性部７５は印字部３７に設けられたシャフト６１に直接力を加えている。
【００８３】
７６，７７はそれぞれ矯正ローラ３６，３８に加重を加える弾性部で、弾性部７６，７７はコイルバネなどが好適に用いられる。この様に印字部３７，矯正ローラ３６，３８に個別に弾性部７５，７６，７７にて押圧力を付加することができるので、各種弾性部の押圧力を変えることによって、矯正ローラ３６，３８からカード１に加えられる押圧力を非常に大きくでき、しかも印字部３７からカード１に加えられる押圧力を小さくすることができる。この構成によって、矯正ローラ３６，３８から大きな押圧力をカード１に加えることで、カード１の曲がりなどの矯正を確実に行うことができ、しかも印字部３７におけるカード１の接触圧力を最適化する事ができるので、印字部３７（特にサーマルヘッドを用いた場合）の摩耗性を低減させることができるので、安定した印字品質、印字部３７の寿命を長くすることができる。
【００８４】
この時、矯正ローラ３６，３７の押圧力として０．８Ｋｇ〜１．８Ｋｇ（特に好ましくは０．９Ｋｇ〜１．５Ｋｇ）に設定する事が好ましい。押圧力が０．８Ｋｇ以下であるとカード１の曲がりなどを矯正する効果はあまりなく、１．８Ｋｇを超えるとカード１の摩耗や破損などが発生する確率が高くなる。また、印字部３７の押圧力は０．２Ｋｇ〜０．７５Ｋｇ（特に好ましくは、０．３Ｋｇ〜０．７０Ｋｇ）に設定する事が好ましい。押圧力が０．２Ｋｇ以下であると、カード１に印字されたキャラクタなどの印字品質が悪くなる事があり、押圧力が０．７５Ｋｇ以上であると、カード１の摩耗や破損、或いは印字部３７の摩耗などが顕著に発生する確率が高くなる。
【００８５】
更に、印字部３７のカード１との接触部と矯正ローラ３６，３８の回転中心との距離Ｌは８ｍｍ〜４０ｍｍ（好ましくは１１ｍｍ〜１６ｍｍ）と設定する事が好ましい。距離Ｌが８ｍｍ以下であると、矯正ローラ３６，３８の直径が小さくなることで、その材質などの選択が非常に難しくなり、しかも組立性が悪くなる。距離Ｌが４０ｍｍ以上であると、カード１に矯正ローラ３６，３８に押圧力が加えられ、カード１の曲がりなどが矯正されても、矯正ローラ３６，３８と印字部３７との距離が長すぎるために、カード１の矯正効果が薄れてしまい、印字品質などの向上はあまり望めない。
【００８６】
また、本実施の形態では、利便性や構造の簡略化等のために矯正ローラ３６，３８を印字ユニット２００に設け、印字部３７とともに、搬送路７に出没自在になるように構成したが、矯正ローラ３６，３８は、印字ユニット２００に一体に設けずに、別体とし、個別に搬送路７に出没自在になるように構成しても良い。この様な構成にすることで、多少構造が複雑になるものの、良好な印字品質とカード１の搬送路７内のスムーズな移動を可能となる。
【００８７】
更に、本実施の形態では、矯正ローラ３６，３８の２つの矯正ローラを用いたが、少なくとも一つの矯正ローラを用いることでも十分な矯正効果を得ることができる。例えば、矯正ローラ３８を設けずに矯正ローラ３６のみを設ける構成である。なお、矯正ローラの数を増やせば、矯正効果は向上するが、小型化等を考慮すると、矯正ローラ３８は４個以下とする事が好ましい。
【００８８】
５６はカード１からデータを読み出すかカード１にデータを記録する少なくとも一つの動作を行うデータ記録再生部で、本実施の形態では、データ記録再生部５６として磁気ヘッドを用いた。このデータ記録再生部５６に磁気ヘッドを用いた場合には、カード１には磁気ストライプが設けられる構成となっている。なお、データ記録再生部５６としては、磁気ヘッド以外に光学的にデータを記録か再生の少なくとも一方を行う光学ヘッド（この場合には、カード１には光ストライプやバーコード等が設けられている。）を用いても良いし、カード１が内部にＩＣを搭載し、カード表面にＩＣと接続された電極を有したいわゆる接触式のＩＣカードの場合であれば、データ記録再生部５６としてはカード１の表面に設けられた電極と接触する少なくとも一つの電極を有した構成となり、カード１が内部にＩＣと無線でデータの授受を行うことができるアンテナ（コイルやコンデンサ）を有したいわゆる非接触ＩＣカードの場合には、データ記録再生部５６としてコイル状のアンテナや容量を発生させる部材を設けた構成となる。
【００８９】
５８はデータ記録再生部５６（本実施の形態では磁気ヘッド）に対向する従動ローラでデータ記録再生部５６は弾性部５７にて従動ローラ５８の方向に付勢されており、カード１はデータ記録再生部５６によって従動ローラ５８に押しつけ、確実なデータの記録か再生の少なくとも一方を行うことができる様構成されている。なお、弾性部５７としてはコイルバネが好適に用いられる（図５参照）。
【００９０】
４はほぼデータ記録再生部５６と同軸上に設けられた駆動ローラで、駆動ローラ４には従動ローラ１０が対向している。
【００９１】
２０１は搬送路７に出没自在に設けられた消去ユニットで、消去ユニット２０１は、カード１の表示部に可逆性の表示手段を用いた場合に設けられるものである。すなわち、印字ユニット２００でカード１に印字し、その印字したものを消去する場合にはこの消去ユニット２０１で消去する。例えば、カード１の表示部に熱可逆性のリライト層などを用いた場合には、消去ユニット２０１としては、カード１の表示を所定の温度に加熱する加熱手段が搭載される。なお、カード１にキャラクタを追記してキャラクタ等を消去する必要がない場合には、この消去ユニットは不要になる。
【００９２】
消去ユニット２０１には消去部４９と矯正ローラ４８，５０が設けられている。消去部４９，矯正ローラ４８，５０にはそれぞれ駆動するローラ４３，４０，４６が対向している。ローラ４３，４０，４６にはそれぞれ回転軸４３ａ，４０ａ，４６ａが設けられている。消去ユニット２０１は後述の駆動手段によって駆動され、カード１上に画像形成された所定のキャラクタなどを消去する際には消去ユニット２０１は搬送路７に突出し、カード１を矯正ローラ４８，５０とそれらローラに対向するローラ４０，４６で挟み込んで、カード１の曲がり等を矯正（反り等が発生している場合には反りを矯正する）し、消去部４９でカード１上に形成された画像等を消去するので、良好な消去品質を得ることができる。
【００９３】
また、カード１上に所定のキャラクタを消去しない場合には、消去ユニット２０１は搬送路７から後退し、カード１は矯正ローラ４８，５０とローラ４０，４６で挟み込まれず、しかも消去部４９とローラ４３にも挟み込まれないので、スムーズにカード１の搬送が行われる事になる。消去部４９としては、発熱抵抗体（基板上に発熱体を設け、その発熱体を覆うようにガラスやシリカ等の保護膜を設けた構成のヒータ等）等が好適に用いられる。また、カードの曲がりや反りを矯正する手段として、矯正ローラ４８，５０とローラ４０，４６を用いたが、例えば、搬送路７に出没する平板でカード１の曲がり等を矯正したりすることもできる。
【００９４】
９３は消去部４９を搬送路７の方に付勢する弾性部で、弾性部９３は例えばコイルバネなどが好適に用いられる。弾性部９３は消去部３７に設けられたシャフト８０に直接力を加えている。
【００９５】
９４，９５はそれぞれ矯正ローラ４８，５０に加重を加える弾性部で、弾性部９４，９５はコイルバネなどが好適に用いられる。この様に消去部４９，矯正ローラ４８，５０に個別に弾性部９３，９４，９５にて押圧力を付加することができるので、各種弾性部の押圧力を変えることにより、矯正ローラ４８，５０からカード１に加えられる押圧力を非常に大きくでき、しかも消去部４９からカード１に加えられる押圧力を小さくすることができる。この構成によって、矯正ローラ４８，５０から大きな押圧力をカード１に加えることで、カード１の曲がりなどの矯正を確実に行うことができ、しかも消去部４９におけるカード１の接触圧力を最適化する事ができるので、消去部４９（特に発熱抵抗体を用いた場合）の摩耗性を低減させることができるので、安定した消去特性、消去部４９の寿命を長くすることができる。
【００９６】
この時、矯正ローラ４８，５０の押圧力として０．８Ｋｇ〜１．８Ｋｇ（特に好ましくは０．９Ｋｇ〜１．５Ｋｇ）に設定する事が好ましい。押圧力が０．８Ｋｇ以下であるとカード１の曲がりなどを矯正する効果はあまりなく、１．８Ｋｇを超えるとカード１の摩耗や破損などが発生する確率が高くなる。また、消去部４９の押圧力は０．２Ｋｇ〜０．７５Ｋｇ（特に好ましくは、０．３Ｋｇ〜０．７０Ｋｇ）に設定する事が好ましい。押圧力が０．２Ｋｇ以下であると、カード１に消去されたキャラクタなどの消去特性が悪くなる事があり、押圧力が０．７５Ｋｇ以上であると、カード１の摩耗や破損、或いは消去部４９の摩耗などが顕著に発生する確率が高くなる。
【００９７】
更に、消去部４９のカード１との接触部と矯正ローラ４８，５０の回転中心との距離Ｍは８ｍｍ〜４０ｍｍ（好ましくは１１ｍｍ〜１６ｍｍ）と設定する事が好ましい。距離Ｍが８ｍｍ以下であると、矯正ローラ４８，５０の直径が小さくなることで、その材質などの選択が非常に難しくなり、しかも組立性が悪くなる。距離Ｍが４０ｍｍ以上であると、カード１に矯正ローラ４８，５０に押圧力が加えられ、カード１の曲がりなどが矯正されても、矯正ローラ４８，５０と消去部４９との距離が長すぎるために、カード１の矯正効果が薄れてしまい、消去特性などの向上はあまり望めない。
【００９８】
また、本実施の形態では、利便性や構造の簡略化等のために矯正ローラ４８，５０を消去ユニット２０１に設け、消去部４９とともに、搬送路７に出没自在になるように構成したが、矯正ローラ４８，５０は、消去ユニット２０１に一体に設けずに、別体とし、個別に搬送路７に出没自在になるように構成しても良い。この様な構成にすることで、多少構造が複雑になるものの、良好な消去品質とカード１の搬送路７内のスムーズな移動を可能となる。
【００９９】
更に、本実施の形態では、矯正ローラ４８，５０の２つの矯正ローラを用いたが、少なくとも一つの矯正ローラを用いることでも十分な矯正効果を得ることができる。例えば、矯正ローラ５０を設けずに矯正ローラ４８のみを設ける構成である。なお、矯正ローラの数を増やせば、矯正効果は向上するが、小型化等を考慮すると、矯正ローラ３８は４個以下とする事が好ましい。
【０１００】
５は回転軸１６に取り付けられた駆動ローラで、駆動ローラ５には従動ローラ１２が対向している。従動ローラ１２はコイルバネなどの弾性部材１３によって搬送路７の方に付勢されている。この駆動ローラ５は回転軸１６を介して後述する駆動手段によって駆動力が伝達される。この駆動ローラ５と従動ローラ１２でカード１を挟み込みカード１を搬送路７内で移動させる。
【０１０１】
５１は各駆動ローラを駆動する駆動部で、駆動部５１としてはモータなどが好適に用いられる。
【０１０２】
図２は本発明の一実施の形態におけるカードリーダを示す上部平面図である。
【０１０３】
図２において、３００は印字ユニット２００を昇降させる駆動部で、駆動部３００としてはモータなどが用いられる。３０１は消去ユニット２０１を昇降させる駆動部で、駆動部３００としてはモータなどが用いられる。
【０１０４】
以下、カードリーダの動作について、図１〜図１３を用いて説明する。
【０１０５】
まず駆動部５１が回転すると図３，図５等に示すように、駆動部５１に設けられたギア５２が回転し、その駆動力はギア５３，５４を介してギア５５に伝達され、ギア５５には回転軸１６が固定されているので、ギア５５の回転に伴って回転軸１６も回転し、その結果駆動ローラ５が回転する。回転軸１６にはギア５５を設けた側と反対側にプーリ１９が設けられ、回転軸１６の回転とともにプーリ１９が回転する。プーリ１９にはベルト２１がプーリ１８との間に掛けられており、プーリ１９の回転はベルト２１を介してプーリ１８に伝達される。プーリ１８には回転軸１５が取り付けられており、プーリ１８の回転によって、回転軸１５も回転し、回転軸１５に設けられている駆動ローラ４も回転する。更にプーリ１８には、ベルト２０がプーリ１７との間に掛けられており、プーリ１８の回転はベルト２０を介してプーリ１７に伝達される。プーリ１７には回転軸１４が取り付けられており、プーリ１７の回転によって、回転軸１４も回転し、回転軸１４に設けられている駆動ローラ３も回転する。回転軸１４にはプーリ１７を設けた側と反対側にプーリ２２が設けられ、回転軸１４の回転と共にプーリ２２が回転する。プーリ２２にはベルト２６がプーリ２５に掛けられ、従って、プーリ２２の回転によってプーリ２５も回転する。プーリ２５の内側には一体にギア２５ａが設けられ、アイドラ３９を介してギア４１に伝達され、回転軸４０ａを回転させ、それに伴って回転軸４０ａに取り付けられたローラ４０が回転し、更にギア４１の回転はアイドラ４２を介してギア４４に伝達され、回転軸４３ａを回転させ、それに伴って回転軸４３ａに取り付けられたローラ４３が回転し、更に、ギア４４の回転はアイドラ４５を介してギア４７に伝達され、回転軸４６ａを回転させ、それに伴って、回転軸４６ａに取り付けられたローラ４６が回転する。
【０１０６】
また、別の経路で、プーリ２５の回転はアイドラ２７を介してギア２９に伝達され、回転軸２８ａを回転させ、それに伴って回転軸２８ａに取り付けられたローラ２８が回転し、更にギア２９の回転はアイドラ３０を介してギア３２に伝達され、回転軸３１ａを回転させ、それに伴って回転軸３１ａに取り付けられたローラ３１が回転し、更に、ギア３２の回転はアイドラ３３を介してギア３５に伝達され、回転軸３４ａを回転させ、それに伴って、回転軸３４ａに取り付けられたローラ３４が回転する。
【０１０７】
この様に、駆動部５１を回転させることで、駆動ローラ３，４，５及びローラ３１，３４，２８，４０，４３，４６を回転駆動させ、カード１を搬送路７内で移動させ、カード１上に所定のキャラクタ等を印字か或いは消去するか、もしくはデータの記録・再生の少なくとも一方の動作を行わせる。また、駆動部５１の回転方向を制御することで、カード１を挿入口２側から駆動部５１の方へ搬送路７内において移動させたり、その逆方向に移動させたりする。
【０１０８】
次に印字ユニット２００及び消去ユニット２０１の動作について説明する。
【０１０９】
まず、印字ユニット２００について説明する。
【０１１０】
図１に示す駆動部３００が駆動すると、駆動部３００に設けられたギア７４が回転し、その回転はアイドラ７３を介してカム６９に設けられたギア６９ａに伝達される。すると、図８に示すようにカム６９は回転軸６７に取り付けられており、しかも回転軸６７には更にカム７０が取り付けられているので、駆動部３００の回転によってカム６９，７０が回転する事になる。回転軸６７はシャーシ６６に回転自在に取り付けられている。
【０１１１】
図６等に示すように、カム６９，７０には回転軸６７から外周部までの距離が異なるような形状となっており、好ましくは図６等に示されるように外周部に段差を設けることが好ましい。また、カム６９，７０の回転によって、シャフト７１が搬送路７に対して垂直方向に上下動するよう構成されている。カム６９，７０とシャフト７１はシャフト７１の両端に設けられたカムフォロアー７２を介して連動する。カムフォロアー７２は好ましくはシャフト７１に回転自在に設ける事によって、カム６９，７０とシャフト７１の摩擦を低減させることができる。
【０１１２】
シャフト７１は印字ユニット２００に固定されており、しかもシャーシ６６に設けられた長孔６６ａに挿入されているので、シャフト７１はシャーシ６６に対しては上下動可能なように保持される。従ってシャフト７１の上下動にともなって、印字ユニット２００も上下動し、少なくとも印字部３７は搬送路７に出没自在になる。また、印字ユニット２００には２対の長孔（ａ），（ｂ）が設けられており、この長孔（ａ），（ｂ）にはシャフト６１，６２が可動自在に取り付けられている。なお、前述のようにシャフト６１には弾性部７５によって、搬送路７側に付勢されている。この時、印字部３７はホルダ６０を介してシャフト６１，６２に取り付けられている。更に印字ユニット２００には、長孔ｄが設けられており、この長孔ｄにはシャフト６７が挿入されている。これは、シャーシ６６に設けられたシャフト６７によって、印字ユニット２００の上下動を阻害しないように設けられている。
【０１１３】
また、図８に示すように、印字ユニット２００には長孔ｃが２つ設けられており、この２つの長孔ｃにはそれぞれシャフト６４，６５が可動自在に保持されている。シャフト６４，６５にはそれぞれ矯正ローラ３６，３８が設けられており、シャフト６４，６５には弾性部７６，７７によって、搬送路７側に付勢されている。
【０１１４】
以上の様に構成された印字ユニット２００の動作について説明する。
【０１１５】
まず、少なくともカード１に印字などを行わない場合等には、印字ユニット２００は図６，図８に示すように、カムフォロアー７２はカム６９，７０の回転軸６７から離れた外周部が当接しており、この様な状態では、シャフト７１は上方に押し上げられ、それに伴って、印字ユニット２００も搬送路７から離れて配置されることになる。
【０１１６】
少なくともカード１に印字などを行う場合には、駆動部３００は図示していない制御部などから印字指令などが送られてくると、駆動部３００は図６，図８に示す矢印方向に回転し、それに伴って図７，図９に示すようにカムフォロアー７２はカム６９，７０の回転軸６７に近い外周部が当接し、最終的には離れることになり、シャフト７１は各弾性部の付勢力により搬送路７側に移動し、それに伴って印字ユニット２００も搬送路７側に移動する。すると、図７に示すように印字部３７はカード１をローラ３１との間に挟み込み、所定の印字を行うとともに、図９に示すように矯正ローラ３６，３８もカード１をローラ２８，３４の間に挟み込んでカードの曲がりなどを矯正する。
【０１１７】
印字動作が終了すると、駆動部３００は再び回転しカム６９，７０を図７，図９に示す矢印方向に回転させて、図６，図８に示す様に、カムフォロアー７２とカム６９，７０の回転軸６７から離れた外周面と当接するようになり、印字ユニットは搬送路７から離れる。
【０１１８】
次に消去ユニット２０１について説明する。
【０１１９】
図１に示す駆動部３０１が駆動すると、駆動部３０１に設けられたギア９２が回転し、その回転はアイドラ９１を介してカム８７に設けられたギア８７ａに伝達される。すると、図１２に示すようにカム８７は回転軸８５に取り付けられており、しかも回転軸８５には更にカム８８が取り付けられているので、駆動部３０１の回転によってカム８７，８８が回転する事になる。回転軸８５はシャーシ６６に回転自在に取り付けられている。
【０１２０】
図１０等に示すように、カム８７，８８には回転軸８５から外周部までの距離が異なるような形状となっており、好ましくは図１０等に示されるように外周部に段差を設けることが好ましい。また、カム８７，８８の回転によって、シャフト８９が搬送路７に対して垂直方向に上下動するよう構成されている。カム８７，８８とシャフト８９はシャフト８９の両端に設けられたカムフォロアー９０を介して連動する。カムフォロアー９０は好ましくはシャフト８９に回転自在に設ける事によって、カム８７，８８とシャフト８９の摩擦を低減させることができる。
【０１２１】
シャフト８９は消去ユニット２０１に固定されており、しかもシャーシ６６に設けられた長孔６６ｂに挿入されているので、シャフト８９はシャーシ６６に対しては上下動可能なように保持される。従ってシャフト８９の上下動にともなって、消去ユニット２０１も上下動し、少なくとも消去部４９は搬送路７に出没自在になる。また、消去ユニット２０１には２対の長孔（ａ），（ｂ）が設けられており、この長孔（ａ），（ｂ）にはシャフト８０，８１が可動自在に取り付けられている。なお、前述のようにシャフト８０は弾性部９３によって、搬送路７側に付勢されている。この時、消去部４９はホルダ７９を介してシャフト８０，８１に取り付けられている。
【０１２２】
また、図１２に示すように、消去ユニット２０１には長孔（ｃ），（ｄ）が２対設けられており、この２つの長孔（ｃ），（ｄ）にはそれぞれシャフト８３，８４が可動自在に保持されている。シャフト８３，８４にはそれぞれ矯正ローラ４８，５０が設けられており、シャフト８３，８４は弾性部９４，９５によって、搬送路７側に付勢されている。
【０１２３】
以上の様に構成された消去ユニット２０１の動作について説明する。
【０１２４】
まず、少なくともカード１に印字されたキャラクタなどを消去しない場合等には、消去ユニット２０１は図１０，図１２に示すように、カムフォロアー９０にはカム８７，８８の回転軸８５から離れた外周部が当接しており、この様な状態では、シャフト８９は上方に押し上げられ、それに伴って、消去ユニット２０１も搬送路７から離れて配置されることになる。
【０１２５】
少なくともカード１に印字されたキャラクタなどを消去する場合には、駆動部３０１は図示していない制御部などから印字指令などが送られてくると、駆動部３０１は図１０，図１２に示す矢印方向に回転し、それに伴って図１１，図１３に示すようにカムフォロアー９０はカム８７，８８の回転軸８５に近い外周部が当接し、最終的には離れることになり、シャフト８９は各弾性部の付勢力により搬送路７側に移動し、それに伴って消去ユニット２０１も搬送路７側に移動する。すると、図１１に示すように消去部４９はカード１をローラ４３との間に挟み込み、キャラクタの消去を行うとともに、図１３に示すように矯正ローラ４８，５０もカード１をローラ４０，４６の間に挟み込んでカード１の曲がりなどを矯正する。
【０１２６】
消去動作が終了すると、駆動部３０１は再び回転しカム８７，８８を図１１，図１３に示す矢印方向に回転させて、図１０，図１２に示す様に、カムフォロアー９０とカム８７，８８の回転軸８５から離れた外周面と当接するようになり、消去ユニット２０１は搬送路７から離れる。
【０１２７】
本実施の形態では、シャーシ６６とシャーシ２３に分割し、シャーシ６６とシャーシ２３を回動自在に取り付ける事によって、搬送路７内でカード１が詰まったり、内部のメンテナンスのために例えばシャーシ６６を回働軸を中心に回動させることで、搬送路７をむき出しにする事ができる。この時、駆動部５１を設置側となるシャーシ２３に設け、駆動部３００，３０１をシャーシ６６に設ける事によって、全体の重量バランスが良くなり、搬送路７をむき出しにする動作などがやりやすくなる。
【０１２８】
次にカード１の処理方法の一例を説明する。
【０１２９】
まず、挿入口２の近傍に設けられた図示していないセンサ（光センサなど）によって、カード１の挿入が検知されると、図示していない制御部は、まず、駆動部５１を回転駆動させ、それにともなって、駆動ローラ３，４，５及びローラ３１，３４，２８，４０，４３，４６を回転させることで、カード１を装置内部に取り込む。その後、カード１はデータ記録再生部（本実施の形態の場合磁気ヘッド）５６でカードに記録されているデータを読み取り、その後に制御部は駆動部５１の回転を反対方向にし、カード１を挿入口２の方向に移動させ、その時データ記録再生部５６にてデータを書き込む。更にその後、制御部は再び駆動部５１の回転を逆方向に回転させ、カード１を駆動部５１側に移動させ、その時にカードに記録したデータを再度読み取り、データの記録ミスが無いかどうかチェックする（ベリファイ）。この様にカード１にデータの記録再生の少なくとも一方を行う動作の最中には、印字ユニット２００と消去ユニット２０１は搬送路７から退却しており、従って、各矯正ローラ及び印字部３７と消去部４９も搬送路７から後退しているので、カード１の移動がスムーズに行われ、データの記録かまたは再生に支障をきたすことはなく、しかもカード１は強い押圧力でカードを挟み込む各矯正ローラとほぼ非接触とすることができるので、カード１と各矯正ローラの接触時間を短くすることができるので、カード１の寿命を長くすることなどができる。
【０１３０】
次に、カード１のベリファイが終了した後に、カード１は搬送路７の後端部まで移動し、その後。カード１に印字されたキャラクタ等を消去する必要がある場合には、制御部は駆動部５１を逆転させ、カード１を挿入口２側の方向へ移動させるとともに、駆動部３０１を駆動させて、消去ユニット２０１を搬送路７の方へ移動させ、カード１を矯正ローラ４８，５０で挟み込んでカード１の曲がりなどを矯正し、消去部４９にてカード１に印字されたキャラクタなどを消去する。この時、矯正ローラ４８，５０にてカード１の曲がりなどを矯正するので、優れた消去特性を得ることができる。
【０１３１】
次にカード１に所定のキャラクタ等を印字する必要がある場合には、制御部は駆動部３００を回転駆動させて、印字ユニット２００を搬送路７の方へ移動させる。この時、カード１は矯正ローラ３６，３８によって、カードの曲がりなどが矯正されて、印字部３７にて所定のキャラクタを印字して、カード１を挿入口から外部へ排出する。カード１の排出をセンサが検知したら、駆動部５１の駆動をやめる。
【０１３２】
【発明の効果】
本発明は、カードリーダを制御する基板を互いに異なる機能を有する基板から構成したものであるので、ユーザ毎の異なる仕様に迅速に対応可能であり、基板変更による著しいコスト増大もなく、基板管理も煩雑でなく、生産性が向上し、ノイズ対策も容易であり、様々なユーザの要望に対して、仕様の変更がなされた場合でも、フレキシブルに対応が可能である。
【０１３３】
また、一度作成した基板の組み合わせを変えることで、基板の新規に作成することなしに、仕様の展開を図っていくことができる。
【０１３４】
さらに、ノイズ発生の確率の高い基板のみ４層、６層等の基板にしてノイズを出さないように対策すればよいので、ノイズ対策が不要な他の基板は、片面若しくは両面基板にして、コストを押さえることができる。
【０１３５】
そして、基板の流用が容易になり、多くの機種に流用が可能となり、基板１枚あたりの単価も下がり、コストメリットを出す事ができる。
【図面の簡単な説明】
【図１】本発明の一実施の形態におけるカードリーダを示す側断面図
【図２】本発明の一実施の形態におけるカードリーダを示す上部平面図
【図３】本発明の一実施の形態におけるカードリーダを示す側面図
【図４】本発明の一実施の形態におけるカードリーダを示す側面図
【図５】本発明の一実施の形態におけるカードリーダを示す下部平面図
【図６】本発明の一実施の形態におけるカードリーダの拡大図
【図７】本発明の一実施の形態におけるカードリーダの拡大図
【図８】本発明の一実施の形態におけるカードリーダの拡大図
【図９】本発明の一実施の形態におけるカードリーダの拡大図
【図１０】本発明の一実施の形態におけるカードリーダの拡大図
【図１１】本発明の一実施の形態におけるカードリーダの拡大図
【図１２】本発明の一実施の形態におけるカードリーダの拡大図
【図１３】本発明の一実施の形態におけるカードリーダの拡大図
【図１４】従来のカードリーダを示す側断面図
【図１５】従来のカードリーダ基板の回路構成ブロック図
【図１６】本発明の一実施の形態におけるカードリーダを示す上部平面概略図
【図１７】本発明の一実施の形態におけるカードリーダを示す側面図
【図１８】本発明の一実施の形態におけるカードリーダ基板の回路構成ブロック図
【符号の説明】
Ｃ，Ｄ，Ｍ  基板
３，４，５  駆動ローラ
７  搬送路
２８，３４，３１，４０，４３，４６  ローラ
３６，３８，４８，５０  矯正ローラ
３７  印字部
４９  消去部
５１，３００，３０１  駆動部
５６  データ記録再生部
２００  印字ユニット
２０１  消去ユニット
【図１】
0004101405.tif 000002
【図２】
0004101405.tif 000003
【図３】
0004101405.tif 000004
【図４】
0004101405.tif 000005
【図５】
0004101405.tif 000006
【図６】
0004101405.tif 000007
【図７】
0004101405.tif 000008
【図８】
0004101405.tif 000009
【図９】
0004101405.tif 000010
【図１０】
0004101405.tif 000011
【図１１】
0004101405.tif 000012
【図１２】
0004101405.tif 000013
【図１３】
0004101405.tif 000014
【図１４】
0004101405.tif 000015
【図１５】
0004101405.tif 000016
【図１６】
0004101405.tif 000017
【図１７】
0004101405.tif 000018
【図１８】
0004101405.tif 000019